(57)【要約】【課題】改質効果が短時間のうちに得られ、すぐに使用を開始できるようにした化粧品の改質方法を提供する。【解決手段】液状、ゲル状又は固形状の化粧品をこの化粧品が磁束密度２０００ガウス以上の磁界を２ｍ／ｓｅｃ以上の速度で横断するように繰り返し通過させる。液状の化粧品の場合には液状化粧品の市販容器から液状化粧品を移替え可能でしかも必要量だけ取り出し可能でありかつ市販容器の内容積の２倍以上の内容積を有するほぼ密閉した構造をなす容器本体を、ゲル状又は固形状の化粧品の場合にはゲル状又は固形状の化粧品の市販容器を収納取出可能でかつ市販容器の長さの２倍以上の長さを有するほぼ密閉した構造をなす容器本体を用いる。容器本体の対向する側壁面には磁石体を異極を相互に対向させて設ける。【選択図】  図３
2004267314.tif 000002
【特許請求の範囲】
【請求項１】
液状化粧品、ゲル状化粧品及び水分を含む固形状化粧品ののび性及び浸透性を高めるように化粧品を改質する改質方法であって、
液状、ゲル状又は固形状の化粧品をこの化粧品が磁束密度２０００ガウス以上の磁界を２ｍ／ｓｅｃ以上の速度で横切るように繰り返し通過させるようにしたことを特徴とする化粧品の改質方法。
【請求項２】
液状化粧品ののび性及び浸透性を高めるように液状化粧品を改質する改質容器であって、
容器本体は液状化粧品の市販容器から液状化粧品を移替え可能でしかも必要量だけ取り出し可能でありかつ市販容器の内容積の２倍以上の内容積を有するほぼ密閉した構造をなし、
上記容器本体の側壁面には上記容器本体内に２０００ガウス以上の磁界を形成する磁石体が設けられており、
改質すべき液状化粧品の移替えられた上記容器本体が上下方向に上記容器本体の長さ以上の距離にわたって振動されることにより液状化粧品が磁束密度２０００ガウス以上の磁界を２ｍ／ｓｅｃ以上の速度で横切るように繰り返し通過されるようになしたことを特徴とする化粧品の改質容器。
【請求項３】
ゲル状又は固形状の化粧品ののび性及び浸透性を高めるように液状化粧品を改質する改質容器であって、
容器本体はゲル状又は固形状の化粧品の市販容器を収納取出可能でかつ市販容器の長さの２倍以上の長さを有するほぼ密閉した構造をなし、
上記容器本体の側壁面には上記容器本体内に２０００ガウス以上の磁界を形成する磁石体が設けられており、
改質すべきゲル状又は固形状の化粧品を市販容器ごとした上記容器本体が長さ方向に上記容器本体の長さ以上の距離にわたって振動されることによりゲル状又は固形状の化粧品が磁束密度２０００ガウス以上の磁界を２ｍ／ｓｅｃ以上の速度で横切るように繰り返し通過されるようになしたことを特徴とする化粧品の改質容器。
【請求項４】
上記容器本体の少なくとも内面が上記市販容器との衝突によって破損されないような軟らかさを有する請求項３記載の化粧品の改質容器。
【請求項５】
上記磁石体は上記容器本体の対向する側壁面に同極又は異極を相互に対向させて設けられている請求項２又は３記載の化粧品の改質容器。
【発明の詳細な説明】
【０００１】
【発明の属する技術分野】
本発明は化粧品の改質方法に関し、特に改質効果が短時間のうちに得られ、すぐに使用を開始できるようにした改質方法に関する。
【０００２】
【従来の技術】
女性の使用する化粧品には化粧水、ローション又は乳液等の液状の化粧品と、口紅、マニュキア又はクリーム等の固形又は高い粘性の化粧品とがあるが、高価な化粧品は一般的に安価な化粧品に比してよくのび、しかも皮膚によく浸透し、１回の化粧に使う量が少なくて済むことが多い。
【０００３】
他方、化粧品に磁気を作用させると、化粧品ののび性及び浸透性が改善されることが知られている（例えば、特許文献１、特許文献２、特許文献３、特許文献４、等参照）。
【０００４】
【特許文献１】特開平０９−１９１９５８号公報
【特許文献２】特開２００１−１２０３４６号公報
【特許文献３】特開２００１−２９９４４３号公報
【特許文献４】実用新案登録第２５８３０６４号公報
【０００５】
【発明が解決しようとする課題】
しかし、上記従来公報記載の改質方法は液状、固形又はゲル状の化粧品を磁界中に曝すことにより化粧品を改質するという方法であるので、改質の効果が現れるのに長い時間を必要とし、すぐには使用することができない。
【０００６】
この発明は、かかる問題点に鑑み、改質効果が短時間のうちに得られ、すぐに使用を開始できるようにした化粧品の改質方法を提供することを課題とする。
【０００７】
【課題を解決するための手段】
本件発明者らは上述の課題を解決すべく鋭意実験を重ねた結果、化粧品が２０００ガウス以上の磁界を２ｍ／ｓｅｃ以上の速度で繰り返し通過すれば化粧品ののび性及び浸透性が短時間のうちに大幅に改善されることを知見するに至った。
【０００８】
そこで、本発明に係る化粧品の改質方法は、液状化粧品、ゲル状化粧品及び水分を含む固形状化粧品ののび性及び浸透性を高めるように化粧品を改質する改質方法であって、液状、ゲル状又は固形状の化粧品をこの化粧品が磁束密度２０００ガウス以上の磁界を２ｍ／ｓｅｃ以上の速度で横切るように繰り返し通過させるようにしたことを特徴とする。
【０００９】
本発明の特徴の１つは液状、ゲル状又は固形状の化粧品をこれが磁束密度２０００ガウス以上の磁界を２ｍ／ｓｅｃ以上の速度で横断するように繰り返し通過させるようにした点にある。
【００１０】
これにより、化粧品ののび性及び浸透性を短時間のうちに大幅に改善でき、のび性及び浸透性の改善された化粧品をすぐに使える。化粧品ののび性及び浸透性が改善される理由は不明であるが、化粧品中に含まれる水分のクラスターが細かくされ、あるいは化粧品の成分が極性を有するようになるためであろうと推測される。
【００１１】
また、本発明の方法は育毛剤や整髪剤に適用すると、のび性及び浸透性に顕著な改善が見られた。したがって、本発明でいう「化粧品」は化粧水、ローション、乳液、口紅、マニュキア、クリーム等、一般的に認識されている化粧品以外に、育毛剤や整髪剤も含む。
【００１２】
２０００ガウス以上の磁界としたのは２０００ガウス未満では流速を速くしても改質効果が現れるのに時間がかかるからである。また、流速を２ｍ／ｓｅｃ以上としたのは２ｍ／ｓｅｃ未満では磁界を相当強くしないと改質効果が現れないからである。
【００１３】
磁界中に化粧品を繰り返し通過させる具体的な方法としては液状化粧品を市販容器から改質容器に移替え、改質容器の側面に１つ又は複数の磁石体を設け、改質容器を上下に激しく振ることによって実現できる。したがって、このような改質容器も新規である。
【００１４】
即ち、本発明に係る化粧品の改質容器は、液状化粧品ののび性及び浸透性を高めるように液状化粧品を改質する改質容器であって、容器本体は液状化粧品の市販容器から液状化粧品を移替え可能でしかも必要量だけ取り出し可能でありかつ市販容器の内容積の２倍以上の内容積を有するほぼ密閉した構造をなし、上記容器本体の側壁面には上記容器本体内に２０００ガウス以上の磁界を形成する磁石体が設けられており、改質すべき液状化粧品の移替えられた上記容器本体が上下方向に上記容器本体の長さ以上の距離にわたって振動されることにより液状化粧品が磁束密度２０００ガウス以上の磁界を２ｍ／ｓｅｃ以上の速度で横切るように繰り返し通過されるようになしたことを特徴とする。
【００１５】
容器本体は振ったときに化粧品が洩れないようにほぼ密閉した構造をなしていることが重要である。
【００１６】
また、容器本体は液状化粧品の市販容器から液状化粧品を移替え可能でしかも必要量だけ取り出し可能であることが大切である。これは例えば、容器本体の一部を分離してねじ等によって螺合できるようにするとともに、容器本体をふることによって化粧品が出てくる口を設けることによって実現できる。
【００１７】
また、容器本体を振って２ｍ／ｓｅｃ以上の速度を得るためには、容器本体が市販容器の内容積の２倍以上の内容積を有することが望ましい。
【００１８】
容器本体の材質は特に限定されないが、対向する磁石体の間に磁界が容易に形成されるように非磁性材料、例えばプラスチック材料で容器本体で製作するのがよい。勿論、磁石体の磁力が強い場合には容器本体を金属材料で製作しても容器本体内に上記の磁界を形成することができる。
【００１９】
磁石体は容器本体内に２０００ガウス以上の磁界を形成できれば１つでもよく、複数であってもよい。複数の磁石体を設ける方が改質効果が期待できる。複数の磁石体を設ける場合、強い磁界が形成されるように容器本体の対向する側壁面に相互に対向して設けるのがよい。この場合、対向する磁石体は同極を対向させてもよく、異極を対向させてもよい。また、磁石体は容器本体内に２０００ガウス以上の磁界を形成できればどのような種類の磁石でもよく、例えばネオジウム磁石を用いることができる。
【００２０】
ゲル状及び固形状の化粧品は市販容器から取り出して改質容器に移しかえるのが煩雑である。そこで、ゲル状及び固形状の化粧品については市販容器ごと改質容器にいれるのがよい。
【００２１】
即ち、本発明に係る化粧品の改質容器は、ゲル状又は固形状の化粧品ののび性及び浸透性を高めるように液状化粧品を改質する改質容器であって、容器本体はゲル状又は固形状の化粧品の市販容器を収納取出可能でかつ市販容器の長さの２倍以上の長さを有するほぼ密閉した構造をなし、上記容器本体の側壁面には上記容器本体内に２０００ガウス以上の磁界を形成する磁石体が設けられており、改質すべきゲル状又は固形状の化粧品を市販容器ごとした上記容器本体が長さ方向に上記容器本体の長さ以上の距離にわたって振動されることによりゲル状又は固形状の化粧品が磁束密度２０００ガウス以上の磁界を２ｍ／ｓｅｃ以上の速度で横切るように繰り返し通過されるようになしたことを特徴とする。
【００２２】
また、容器本体はゲル状又は固形状の化粧品を市販容器ごと収納できるのが重要である。これは例えば、容器本体の一部を分離してねじ等によって螺合できるようにすることによって実現できる。
【００２３】
また、容器本体を振って２ｍ／ｓｅｃ以上の速度を得るためには、容器本体の長さが市販容器の長さの２倍以上であることが望ましい。
【００２４】
容器本体の材質は特に限定されないが、対向する磁石体の間に磁界が容易に形成されるように非磁性材料、例えばプラスチック材料で容器本体で製作するのがよい。勿論、磁石体の磁力が強い場合には容器本体を金属材料で製作しても容器本体内に上記の磁界を形成することができる。このゲル状又は固形状の化粧品の改質容器の磁石体も液状化粧品の改質容器の場合と同様である。
【００２５】
また、容器本体を振っている時に化粧品の市販容器が容器本体にぶつかるので、容器本体の少なくとも内面が市販容器との衝突によって破損されないような軟らかさを有するのが好ましい。
【００２６】
【発明の実施の形態】
以下、本発明を具体例に基づいて詳細に説明する。図１ないし図３は本発明に係る化粧品の改質方法の好ましい実施形態を模式的に示す。図において、改質容器１０は容器本体１１とキャップ１２とからなり、容器本体１１は非磁性材料、例えばプラスチック材料を用いて液状化粧品の市販容器の内容積のほぼ２倍以上の内容積を有する筒状に製作されている。
【００２７】
この容器本体１１の上端部１３は別体に製作されており、この上端部１３の内面には雌ねじが、容器本体１１側の部分１４には雄ねじが刻設され、両者１３、１４は相互に取外し可能に螺合されており、こうして容器本体１１は液状化粧品を移替え可能になっている。
【００２８】
また、容器本体１１の上端部１３には液状化粧品の振り出し口部１５が形成されており、こうして容器本体１１はほぼ密閉された構造をなしている。
【００２９】
さらに、容器本体１１の容器本体１１の側面には一対の磁石体２０、２１が異極を相互に対向させて設けられ、プラスチック製、布製又は金属製のバンド２２によって固定されている。この磁石体２０、２１にはネオジウム磁石が用いられ、容器本体１１内に２０００ガウス以上の磁界を形成するようになっている。
【００３０】
なお、バンド２２は面ファスナーやフック等によって着脱可能にすることもできる。バンド２２を着脱可能にすると、市販容器内の化粧品の量が半分以下になった時に磁石体２０、２１をバンド２２によって市販容器に取付け、残った化粧品の改質を行うのに用いることができる。
【００３１】
化粧水やローション等を改質する場合、改質容器１０の上端部１３を弛めて外し、図２に示されるように改質すべき液状化粧品Ｗをその市販容器から容器本体１１内に移替え、上端部１３を螺合して取付けた後、キャップ１２を嵌めて改質容器１０を手に持ち、図３に示されるように改質容器１０を上下方向に少なくとも容器本体１１の長さ以上の寸法だけ激しく振る。
【００３２】
すると、容器本体１１内では液状化粧品Ｗが磁石体２０、２１間に形成された２０００ガウス以上の磁界中を液状化粧品Ｗが２ｍ／ｓｅｃ以上の速度で横断するように繰り返し通過する。改質容器１０を数回ないし十数回振ると、容器本体１１内の液状化粧品Ｗは十分に改質されるので、その後は改質容器１０を振るのを止め、キャップ１２を外して容器本体１１の振り出し口部１４から液状化粧品Ｗを振り出して使えばよい。
【００３３】
本例では液状化粧品を容器本体１１内に移替えているので、使用のたびに改質容器を振ることによって改質された化粧品を使うことができる。
【００３４】
図４は第２の実施形態を示す。本例では容器本体１１は比較的軟質のプラスチック材料を用いてほぼ筒状に製作され、その上端開口を蓋１２で嵌合又は螺合によって開放可能に封鎖した構造をなし、ゲル状又は固形状の化粧品の市販容器を収納し取出し可能になっている。
【００３５】
この容器本体１１は改質すべきゲル状又は固形状の化粧品の市販容器４０の長さＬ２の２倍以上の長さＬ１を有している。
【００３６】
また、容器本体１１の対向する側壁面には一対の磁石体２０、２１が異極を相互に対向させて設けられ、プラスチック製のバンド２２によって固定されている。この磁石体２０、２１にはネオジウム磁石が用いられ、容器本体１１内に２０００ガウス以上の磁界を形成するようになっている。
【００３７】
例えば、口紅等の固形状の化粧品を改質する場合、改質容器１０の蓋１２を外し、容器本体１１内に化粧品を容器４０ごと入れ、容器本体１１の開口を蓋１２で封鎖した後、改質容器１０を手に持ち、改質容器１０を上下方向に少なくとも容器本体１１の長さ以上の寸法だけ激しく振る。
【００３８】
これにより、容器本体１１内では化粧品が磁石体２０、２１間に形成された２０００ガウス以上の磁界中を２ｍ／ｓｅｃ以上の速度で横断するように繰り返し通過するので、改質容器１０を数回ないし十数回振ると、容器本体１１内の化粧品は十分に改質され、その後は改質容器１０を振るのを止め、キャップ１２を外して化粧品を取出して使えばよい。使用後は化粧品を改質容器内１０に戻しておけばよい。
【００３９】
上記の例では固形状の化粧品を改質する場合について説明したが、ゲル状の化粧品を改質する場合も同様であるので、その詳細な説明は省略する。
【図面の簡単な説明】
【図１】本発明に係る化粧品の改質容器の好ましい実施形態を示す概略斜視図である。
【図２】上記実施形態における改質方法を模式的に示す概略一部斜視図である。
【図３】上記実施形態における改質方法を模式的に示す断面図である。
【図４】第２の実施形態を示す断面構成図である。
【符号の説明】
１０      改質容器
１１      容器本体
１２      キャップ（蓋）
１３      取外し可能な部分
１４      振り出し口部
４０      化粧品の市販容器
Ｗ        液状化粧品
【図１】
2004267314.tif 000003
【図２】
2004267314.tif 000004
【図３】
2004267314.tif 000005
【図４】
2004267314.tif 000006